(57)【要約】      （修正有）【課題】シャープペンシルおよび／または替芯容器内のカラー芯が直感的に識別できるように構成することで、商品の取り間違えなどの問題を解消させる。【解決手段】黒色以外のカラー芯を搭載したシャープペンシル１および／または前記カラー芯と同色のカラー芯を収容した替芯容器１１を包装した偏平状に形成された包装体２１であって、前記包装体２１の少なくとも表面には、前記カラー芯の芯色に合わせた着色領域２２ａが形成され、前記カラー芯の芯色に合わせた着色領域２２ａの面積が、全体の５０％以上に設定されている。シャープペンシル１と替芯容器１１、および台紙２２に施されたカラー芯の芯色に合わせた着色領域２２ａの合計面積は、全体面積の６４％になされている。【選択図】図４
2019034789.tif 000002
【特許請求の範囲】
【請求項１】
黒色以外のカラー芯を搭載したシャープペンシルおよび／または前記カラー芯と同色のカラー芯を収容した替芯容器を包装した偏平状に形成された包装体であって、
前記包装体の少なくとも表面には、前記カラー芯の芯色に合わせた着色領域が形成され、前記カラー芯の芯色に合わせた着色領域の面積が、全体の５０％以上に設定されていることを特徴とするシャープペンシルおよび／または替芯容器の包装体。
【請求項２】
前記包装体は、偏平状の表面側の少なくとも一部に、透明素材による透視可能部分が形成され、前記透視可能部分内に配置された前記シャープペンシルおよび／または替芯容器に施された着色領域を含めた前記カラー芯の芯色に合わせた着色領域の面積が、全体の５０％以上に設定されていることを特徴とする請求項１に記載されたシャープペンシルおよび／または替芯容器の包装体。
【請求項３】
前記包装体は、偏平状の表面側の少なくとも一部に、透明素材による透視可能部分が形成され、前記透視可能部分内に配置された前記シャープペンシルおよび／または替芯容器と、その背面の台紙上に施された着色領域を含めた前記カラー芯の芯色に合わせた着色領域の面積が、全体の５０％以上に設定されていることを特徴とする請求項１に記載されたシャープペンシルおよび／または替芯容器の包装体。
【発明の詳細な説明】
【技術分野】
【０００１】
この発明は、シャープペンシルおよび／または替芯容器の包装体に関する。
【背景技術】
【０００２】
シャープペンシルに用いられる黒色以外のカラー芯は、その多くはφ０．２〜φ１．３ｍｍ程度の芯径のものが用いられている。このような芯径のカラー芯は、シャープペンシルの外郭を構成する軸筒の直径と比較するときわめて細いものとなる。
したがって、シャープペンシルの先部から突出している筆記芯の色を観察して、搭載されている筆記芯がカラー芯であるか否か、またカラー芯が何色であるかを確認することは困難を伴う。
【０００３】
これを解消するために、個々のシャープペンシルにおいて使用されるカラー芯の芯色を表示する文字や色を施したシールを、軸筒やクリップの一部に貼着したり、軸筒やクリップの一部に直接印刷する手段が採用される場合がある。
この手段を採用しても、カラー芯を示す文字や色を施した面積が小さいために、芯色の異なったシャープペンシルや替芯容器を即座に見分けることは難しい。
【０００４】
そこで、シャープペンシルに搭載されたカラー芯の芯色と同色の部品を一部に搭載したシャープペンシルや、収容したカラー芯を外部から透視可能になされた替芯容器などについての提案がなされている。
【０００５】
すなわち特許文献１には、シャープペンシルの外側に現れる少なくとも１つの部品を、搭載したカラー芯に合わせて着色する提案がなされている。
また特許文献２には、シャープペンシルに搭載したカラー芯に合わせて、消しゴムの色も同色にすることが提案されている。
さらに特許文献３には、シャープペンシルに用いられるカラー芯を収容した替芯容器について開示されており、偏平な形状の替芯容器の表側の透明度と裏側の透明度を変えることが提案されている。
【先行技術文献】
【特許文献】
【０００６】
【特許文献１】特開２００１−１５０８６８号公報
【特許文献２】特開２０００−２５５１９４号公報
【特許文献３】実開平７−２７８８２号公報
【発明の概要】
【発明が解決しようとする課題】
【０００７】
ところで、前記した特許文献に開示されたように、シャープペンシルや替芯容器においては、カラー芯の芯色に応じて、一部を着色するなどの識別手段を施しても、店頭などにおける陳列状態においては、その識別が目に留まり難い。
また、前記したシャープペンシルや替芯容器の全体をさらに包装体により包装した状態によると、なおさらカラー芯の認識が困難となり、売り手側および買い手側においても、商品を取り間違えるなどの問題も招く。
【０００８】
この発明は、前記した実情に応じてなされたものであり、シャープペンシルや替芯容器に搭載もしくは収容されているカラー芯の芯色を、単品の状態もしくは包装体に包装した状態であっても直感的に識別できるようにすることで、商品を取り間違えるなどの問題を解消したシャープペンシルまたは替芯容器もしくはこれらを包装した包装体を提供することを課題とするものである。
【課題を解決するための手段】
【０００９】
前記した課題を解決するためになされたこの発明に係るシャープペンシルは、黒色以外のカラー芯を搭載したシャープペンシルであって、搭載されたカラー芯の芯色に合わせた着色領域が外郭に形成され、軸方向に直交する方向から見た前記シャープペンシルに施された前記カラー芯の芯色に合わせた着色領域の面積が、全体の５０％以上に設定されていることを特徴とする。
【００１０】
この場合、一つの好ましい形態においては、シャープペンシルの外郭を構成する少なくともクリップおよび軸筒が、搭載されたカラー芯の芯色に合わせて着色された構成を好適に採用することができる。
【００１１】
また、前記した課題を解決するためになされたこの発明にかかる替芯容器は、黒色以外のカラー芯を収容した替芯容器であって、収容されたカラー芯の芯色に合わせた着色領域が外側面に形成され、長手方向に直交する方向から見た前記替芯容器に施された前記カラー芯の芯色に合わせた着色領域の面積が、全体の５０％以上に設定されていることを特徴とする。
【００１２】
この場合、好ましい形態においては、前記替芯容器の外郭は、長尺状にして偏平状に形成され、替芯容器の少なくとも表面における前記カラー芯の芯色に合わせた着色領域の面積が、全体の５０％以上に設定される。
【００１３】
さらに、前記した課題を解決するためになされたこの発明にかかる包装体は、黒色以外のカラー芯を搭載したシャープペンシルおよび／または前記カラー芯と同色のカラー芯を収容した替芯容器を包装した偏平状に形成された包装体であって、前記包装体の少なくとも表面には、前記カラー芯の芯色に合わせた着色領域が形成され、前記カラー芯の芯色に合わせた着色領域の面積が、全体の５０％以上に設定されていることを特徴とする。
【００１４】
この場合、前記包装体の好ましい形態においては、偏平状の表面側の少なくとも一部に、透明素材による透視可能部分が形成され、前記透視可能部分内に配置された前記シャープペンシルおよび／または替芯容器に施された着色領域を含めた前記カラー芯の芯色に合わせた着色領域の面積が、全体の５０％以上に設定される。
【００１５】
また、前記包装体の好ましい他の一つの形態においては、偏平状の表面側の少なくとも一部に、透明素材による透視可能部分が形成され、前記透視可能部分内に配置された前記シャープペンシルおよび／または替芯容器と、その背面の台紙上に施された着色領域を含めた前記カラー芯の芯色に合わせた着色領域の面積が、全体の５０％以上に設定される。
【発明の効果】
【００１６】
この発明に係るシャープペンシルによると、搭載されたカラー芯の芯色に合わせた外郭の着色領域が、シャープペンシルを軸方向に直交する方向から見た場合において、全体の５０％以上に設定される。したがって、全体面積の半分以上を占めて施される特定な着色によって、シャープペンシルに搭載されたカラー芯の芯色を直観的に把握することができる。これにより、店頭等において商品を取り間違えるなどの問題を解消したシャープペンシルを提供することができる。
【００１７】
また、この発明に係る替芯容器においても同様に、収容されたカラー芯の芯色に合わせた外側面の着色領域が、替芯容器の長手方向に直交する方向から見た場合において、全体の５０％以上に設定される。したがって、全体面積の半分以上を占めて施される特定な着色によって、替芯容器に収容されたカラー芯の芯色を直観的に把握することができ、店頭等において商品を取り間違えるなどの問題を解消した替芯容器を提供することができる。
【００１８】
さらに、この発明に係るカラー芯を搭載したシャープペンシルを含む包装体、カラー芯を収容した替芯容器を含む包装体においても、偏平状に形成された包装体の少なくとも表面には、前記カラー芯の芯色に合わせた着色領域が形成され、前記カラー芯の芯色に合わせた着色領域の面積が、全体の５０％以上に設定される。
これにより、包装体の全体面積の半分以上を占めて施される特定な着色によって、カラー芯の芯色を直観的に把握することができ、店頭等において商品を取り間違えるなどの問題を解消することができる。
【図面の簡単な説明】
【００１９】
【図１】この発明に係るシャープペンシルの全体構成を示した正面図である。
【図２】この発明に係る替芯容器の全体構成を示した正面図である。
【図３】シャープペンシルを包装した状態のこの発明に係る包装体の例を示した正面図である。
【図４】シャープペンシルおよび替芯容器を包装した状態のこの発明に係る包装体の例を示した正面図である。
【発明を実施するための形態】
【００２０】
この発明に係るカラー芯を搭載したシャープペンシルおよびカラー芯を収容した替芯容器、またこれらを包装した包装体について、図に示す実施の形態に基づいて、順に説明する。
先ず、図１は黒色以外のカラー芯を搭載したシャープペンシルについて示したものであり、図に示した例は、ノック操作により筆記芯が繰り出されるノック式シャープペンシル１を示している。
【００２１】
この図１に示すシャープペンシル１は、円筒状に形成された軸筒２と、前記軸筒２の前端部に装着された樹脂製の口先部（口プラ）３と、前記軸筒２の後端部に装着されたクリップ４が備えられており、これらによりその外郭の大部分が占められている。
そして、前記口先部３の後端部側には、リング状の軟質樹脂５が巻回されて配置されると共に、口先部３の前端部より、図示せぬ筆記芯をガイドする先端パイプ６を支持したスライダー７が突出した状態になされている。
【００２２】
また、前記軸筒２の後端部に装着されたクリップ４の基端部には、図示せぬ消しゴムを覆うノックカバー８が着脱可能に取り付けられている。
図１に示すシャープペンシル１は、周知のとおり、前記ノックカバー８を軸方向にノック操作することにより、軸筒２内に配置された筆記芯を把持する図示せぬチャックが、リング状の締め具内を移動する。これにより、前記先端パイプ６より筆記芯が繰り出されるように作用する。
【００２３】
なお、前記軸筒２の前端部には、透明の樹脂素材による透視部２ａが形成されている。この透視部２ａは、筆記動作に伴う筆記圧を利用して、筆記芯を一方向に回転させる様子が目視できるようにするものである。
筆記圧を利用した筆記芯の回転駆動機構を備えたシャープペンシルについては、例えば特開２００９−１６０７３６号公報などに開示されている。
【００２４】
加えて、図１に示すシャープペンシル１においては、これに搭載されたカラー芯の芯色に合わせた着色が、シャープペンシル１の外郭に施されており、この着色領域は図１においてハッチングを施した部分となる。
この例においては、前記カラー芯としては、例えば赤色や青色を代表例として採用することができ、その他の色も適宜採用することができる。
【００２５】
この場合、図１に示したようにシャープペンシル１の軸方向に直交する方向から見たカラー芯の芯色に合わせた着色領域（ハッチング部分）の面積は、望ましくは全体面積の５０％以上に設定され、より望ましくは全体面積の７０％以上に設定される。
【００２６】
図１に示した例においては、カラー芯の芯色に合わせた着色領域の面積は、全体面積の７４％になされており、着色領域は前記した軸筒２の透視部２ａを除いた部分、クリップ４、リング状の軟質樹脂５、スライダー７、ノックカバー８に設定されている。
【００２７】
なお、前記したカラー芯の芯色に合わせた着色領域の面積の測定方法としては、軸方向に直交する方向からスキャナで撮影した後、ドット数を測定することで求めている。この場合、スキャナの撮影条件としては、測定器は市販のスキャナ（ＥＰＳＯＮ社製ＧＴ−Ｘ７５０）、取り込みはスキャナ付属のソフト（ＥＰＳＯＮ社製ＥＰＳＯＮ  Ｓｃａｎ）を用いて、モード：ホームモード、原稿種：イラスト、イメージタイプ：カラー、出力設定：その他、解像度：４００ｄｐｉ、保存ファイル形式：ビットマップ、その他の設定は初期設定通りとする。
この測定方法は、以下に説明する各実施の形態においても同様に採用される。
【００２８】
また、前記カラー芯の芯色に合わせた着色とは、人間の視覚を通じて同色と認識できる範囲であるということができ、若干の色の濃淡の相異、明暗の相異、強弱の相異は同色と見做すことができる。
具体的にはマンセル表色系の色相で、１０色相以内、明度および彩度で３以内は、同色と見ることができる。
これは、以下に説明する各実施の形態においても同様のことが言える。
【００２９】
以上説明した図１に示すシャープペンシル１によると、外郭の全体面積の半分以上を占めて施される特定な着色によって、シャープペンシルに搭載されたカラー芯の芯色を直観的に把握することができる。
したがって、店頭等においてカラー芯を搭載したシャープペンシルを購入する際において、商品を取り間違えるなどの問題を解消することができるなど、前記した発明の効果の欄に記載したとおりの作用効果を得ることができる。
【００３０】
次に図２は、シャープペンシルに用いられる替え芯として、黒色以外のカラー芯を収容した替芯容器について示したものである。
この替芯容器１１は、長手方向の上部に開口が形成されて、内部にカラー芯が収容される偏平状の箱状本体１２と、この箱状本体１２の上部に、当該箱状本体１２の幅方向にスライド可能に取り付けられた蓋体１３を備え、前記蓋体１３を箱状本体１２に対してスライドすることで、箱状本体１２の上部開口を開閉できるように構成されている。
そして、箱状本体１２の長手方向の下部は、尾栓１４によって閉塞されている。
【００３１】
前記した替芯容器１１を構成する箱状本体１２は、上端側の断面形状が台形状に形成され、また下端側の断面形状が、上端側の断面形状と逆の台形状に形成されて、左右の側面１２ｂ，１２ｃがそれぞれねじれた形状になされている。
なお、前記した構成の替芯容器１１については、例えば特開２０１０−３６３４２号公報に開示されている。
【００３２】
加えて、図２に示す替芯容器１１においては、これに収容されたカラー芯の芯色に合わせた着色が、替芯容器１１の外側面に施されている。
この着色領域は、図２においてハッチングを施した部分、すなわち偏平状に形成された箱状本体１２の表面が着色領域１２ａになされている。
この例においても、前記カラー芯としては、例えば赤色や青色を代表例として採用することができ、その他の色も適宜採用することができる。
【００３３】
図２に示す替芯容器１１においても、カラー芯の芯色に合わせた着色領域の面積が、望ましくは全体の５０％以上に設定され、より望ましくは全体面積の７０％以上に設定される。なお図２に示した例においては、カラー芯の芯色に合わせた着色領域１２ａの面積は、全体面積の７９％になされている。
したがって、図２に示した替芯容器１１においても、図１に示した例と同様の作用効果を得ることができる。
【００３４】
図３はカラー芯を搭載したシャープペンシル単体の包装状態を示しており、図３に示す例は、シャープペンシル１が台紙２２に搭載された状態で、透明な樹脂フィルムにより形成されたハードケース２４内に収容されて包装体２１を構成している。なお図３に示す例は包装体２１の長手方向の上部に、吊下げ孔２３が形成されている。
【００３５】
この包装体２１に収容されたシャープペンシル１は、図１に示したシャープペンシルと同一の構成になされており、したがって相当する各部を同一符号で示し、各部の詳細な説明は省略する。ただしこの包装体２１に収容されたシャープペンシル１は、搭載されたカラー芯の芯色に合わせた着色はハッチングで示したように、クリップ４、リング状の軟質樹脂５、スライダー７になされている。
【００３６】
一方、シャープペンシル１の背面に位置する台紙２２には、全面にわたってカラー芯の芯色に合わせた着色２２ａがなされている。
したがって、図３に示すシャープペンシル１と台紙２２に施されたカラー芯の芯色に合わせた着色領域２２ａの面積は、全体面積の７６％になされている。
【００３７】
図４に示す例は、カラー芯を搭載したシャープペンシルと同色のカラー芯を収容した替芯容器とを１つに包装した包装状態を示している。
この図４に示す例においても、シャープペンシル１と替芯容器１１とが、台紙２２上に搭載された状態で、透明な樹脂フィルムにより形成された袋状のケース２４内に収容されて包装体２１を構成している。
そして、袋状のケース２４の上部には吊下げ孔２３が形成されており、この吊下げ孔２３の直下には袋状のケース２４の開封部２４ａが形成されている。
【００３８】
この包装体２１に収容されたシャープペンシル１は、図１に示したシャープペンシルと同一の構成になされ、かつ搭載したカラー芯の芯色に合わせた着色領域も図１に示した例と同一になされている。また、この包装体２１に収容された替芯容器１１は、図２に示した替芯容器１１と同一のものであり、収容したカラー芯の芯色に合わせた着色領域も図２に示した例と同一である。
【００３９】
そして、シャープペンシル１および替芯容器１１の背面に位置する台紙２２には、中央部を斜めに区切った上半部をハッチングで示したように、カラー芯の芯色に合わせた着色領域２２ａがなされている。この結果、図４に示すシャープペンシル１と替芯容器１１、および台紙２２に施されたカラー芯の芯色に合わせた着色領域の合計面積は、全体面積の６４％になされている。
【００４０】
したがって、図３に示したシャープペンシル１を含む包装体２１、図４に示したシャープペンシル１と替芯容器１１を含む包装体２１においても、表面の全体面積の半分以上を占めて施される特定な着色によって、カラー芯の芯色を直観的に把握することができる。これにより、商品を取り間違えるなどの問題を解消することができる。
【００４１】
なお、図３および図４に示した包装体２１においては、その全体を透明な樹脂フィルム２４で覆って、シャープペンシル１、替芯容器１１が透視できるように構成されているが、外観上において図３および図４に示す状態となるように外側の樹脂フィルム２４の一部に印刷を施すか、もしくは全面に印刷を施しても、同様の作用効果を得ることができる。
【符号の説明】
【００４２】
１      シャープペンシル
２      軸筒
２ａ    透視部
３      口先部
４      クリップ
５      リング状軟質樹脂
６      先端パイプ
７      スライダー
８      ノックカバー
１１    替芯容器
１２    箱状本体
１２ａ  本体表面（着色領域）
１２ｂ，１２ｃ  本体側面
１３    蓋体
１４    尾栓
２１    包装体
２２    台紙
２２ａ  着色領域
２３    吊下げ孔
２４    樹脂フィルム
２４ａ  開封部
【図１】
2019034789.tif 000003
【図２】
2019034789.tif 000004
【図３】
2019034789.tif 000005
【図４】
2019034789.tif 000006